(57)【要約】【課題】接地短絡作業における間違った作業順番を確実に防止可能な接地短絡器具を提供する。【解決手段】長尺な絶縁棒１０と、絶縁棒１０の先端に設けられた開閉式のアースフック２０と、リード線４０を介してアースフック２０に接続されている接地金具とを備え、架空電線の接地短絡を行う接地短絡器具１であって、インターロックキー５０と、インターロックキー５０が接地金具に装着されているときに接地金具を接地箇所に対して着脱可能にし、接地金具が接地箇所に取付けられているときに接地金具からインターロックキー５０を取外し可能にする接地インターロック機構と、インターロックキー５０が装着されているときにアースフック２０の開閉を可能にする開閉インターロック機構と、を備える。【選択図】図３
2019129596.tif 000002
【特許請求の範囲】
【請求項１】
長尺な絶縁棒と、前記絶縁棒の先端に設けられた開閉式のアースフックと、リード線を介してアースフックに接続されている接地金具とを備え、架空電線の接地短絡を行う接地短絡器具であって、
インターロックキーと、
前記インターロックキーが前記接地金具に装着されているときに前記接地金具を接地箇所に対して着脱可能にし、前記接地金具が接地箇所に取付けられているときに前記接地金具から前記インターロックキーを取外し可能にする接地インターロック機構と、
前記インターロックキーが装着されているときに前記アースフックの開閉を可能にする開閉インターロック機構と、
を備えることを特徴とする接地短絡器具。
【請求項２】
前記アースフックは、前記絶縁棒に対して回転すると開閉するように構成されており、
前記開閉インターロック機構は、前記アースフックが開閉しないように、前記絶縁棒及び前記アースフックのそれぞれに対して回転自在な状態で前記絶縁棒と前記アースフックとを連結する回転継手を備え、前記インターロックキーが装着されたときに、前記アースフックの開閉を許容するように前記絶縁棒又は前記アースフックのいずれか一方に対する前記回転継手の回転が阻止されるように構成されていることを特徴とする請求項１に記載の接地短絡器具。
【請求項３】
前記回転継手は、前記インターロックキーによって拘束可能な回り止めピンを備え、前記回り止めピンが拘束されたときに前記絶縁棒又は前記アースフックのいずれか一方に対する前記回転継手の回転が阻止されるように構成されており、
前記開閉インターロック機構はさらに、前記インターロックキーの位置決めを行うガイドと、前記インターロックキーに掛止し脱落を防止する脱落防止ピンとを備え、
前記インターロックキーが前記ガイドに沿って装着されると、前記インターロックキーによって前記回り止めピンが拘束されるとともに、前記インターロックキーが前記脱落防止ピンによって掛止されるように構成されていることを特徴とする請求項２に記載の接地短絡器具。
【請求項４】
前記インターロックキーは、前記接地金具が接地箇所に取付けられる前に前記インターロックキーが前記接地金具から外れることを防止するように前記接地インターロック機構の一部が掛止する掛止孔を有し、
前記脱落防止ピンは、前記インターロックキーが前記開閉インターロック機構に装着されたときに前記掛止孔に掛止するように構成されていることを特徴とする請求項３に記載の接地短絡器具。
【発明の詳細な説明】
【技術分野】
【０００１】
本発明は、架空電線の接地短絡を行う開閉式アースフック付きの接地短絡器具に関する。
【背景技術】
【０００２】
特別高圧架空送電線路において停電作業を行う場合には、電流の流入を防止するために作業箇所に接地短絡器具（乙種アース）を接続し、接地状態で作業を行う必要がある。接地短絡器具は、基本的に、鉄塔等の接地箇所に接続する接地金具、接地対象となる架空電線に取付けるアースフック付き絶縁棒、及び接地金具とアースフックとを電気的に接続するリード線を備える。
【０００３】
接地短絡器具による接地は、必ず、接地箇所への接地金具の接続を架空電線へのアースフック付き絶縁棒の取付け前に行わなければならない。また接地を解除するときには、必ず、架空電線からアースフック付き絶縁棒を取外した後に、接地金具を接地箇所から取外さなければならない。上記の作業順番を間違えると感電災害が発生する恐れがある。
【０００４】
従来から使用されている接地短絡器具は、上記の作業順番を間違えたとしても作業自体を行うことが可能であり、このため感電災害が発生する恐れがある。これを防止すべく、間違った順番では接地短絡作業を行うことができないように構成されたインターロック式の接地用具が提案されている（特許文献１参照）
【０００５】
特許文献１に記載の接地用具は、伸縮式の絶縁棒の伸縮動作を制限するインターロック機構を備え、接地金具を鉄塔等の接地箇所に接続しないと絶縁棒を伸縮することができず、アースフックが架空電線に届かないように構成されており、これによって、間違った順番で接地短絡作業を行うことができないようになっている。
【先行技術文献】
【特許文献】
【０００６】
【特許文献１】特開２００９−７７５９３号公報
【発明の概要】
【発明が解決しようとする課題】
【０００７】
特許文献１に記載の接地用具によれば、接地金具を接地箇所に接続しないと絶縁棒を伸縮することができないが、アースフックが届く距離に電線が架設されている場合、アースフックを電線に取付けることができてしまうので、作業順番を間違える恐れがある。
【０００８】
本発明の目的は、接地短絡作業における間違った作業順番を確実に防止可能な接地短絡器具を提供することである。
【課題を解決するための手段】
【０００９】
本発明は、長尺な絶縁棒と、前記絶縁棒の先端に設けられた開閉式のアースフックと、リード線を介してアースフックに接続されている接地金具とを備え、架空電線の接地短絡を行う接地短絡器具であって、インターロックキーと、前記インターロックキーが前記接地金具に装着されているときに前記接地金具を接地箇所に対して着脱可能にし、前記接地金具が接地箇所に取付けられているときに前記接地金具から前記インターロックキーを取外し可能にする接地インターロック機構と、前記インターロックキーが装着されているときに前記アースフックの開閉を可能にする開閉インターロック機構と、を備えることを特徴とする接地短絡器具である。
【００１０】
また本発明の接地短絡器具において、前記アースフックは、前記絶縁棒に対して回転すると開閉するように構成されており、前記開閉インターロック機構は、前記アースフックが開閉しないように、前記絶縁棒及び前記アースフックのそれぞれに対して回転自在な状態で前記絶縁棒と前記アースフックとを連結する回転継手を備え、前記インターロックキーが装着されたときに、前記アースフックの開閉を許容するように前記絶縁棒又は前記アースフックのいずれか一方に対する前記回転継手の回転が阻止されるように構成されていることを特徴とする。
【００１１】
また本発明の接地短絡器具において、前記回転継手は、前記インターロックキーによって拘束可能な回り止めピンを備え、前記回り止めピンが拘束されたときに前記絶縁棒又は前記アースフックのいずれか一方に対する前記回転継手の回転が阻止されるように構成されており、前記開閉インターロック機構はさらに、前記インターロックキーの位置決めを行うガイドと、前記インターロックキーに掛止し脱落を防止する脱落防止ピンとを備え、前記インターロックキーが前記ガイドに沿って装着されると、前記インターロックキーによって前記回り止めピンが拘束されるとともに、前記インターロックキーが前記脱落防止ピンによって掛止されるように構成されていることを特徴とする。
【００１２】
また本発明の接地短絡器具において、前記インターロックキーは、前記接地金具が接地箇所に取付けられる前に前記インターロックキーが前記接地金具から外れることを防止するように前記接地インターロック機構の一部が掛止する掛止孔を有し、前記脱落防止ピンは、前記インターロックキーが前記開閉インターロック機構に装着されたときに前記掛止孔に掛止するように構成されていることを特徴とする。
【発明の効果】
【００１３】
本発明の接地短絡器具によれば、インターロックキーが接地金具に装着されているときに接地金具を接地箇所に対して着脱可能にし、接地金具が接地箇所に取付けられているときに接地金具からインターロックキーを取外し可能にする接地インターロック機構と、インターロックキーが装着されているときにアースフックを開閉可能にする開閉インターロック機構とを備えるので、接地短絡作業における間違った作業順番を確実に防止可能であり、接地金具が接地箇所に取付けられていない状態でアースフックが電線に接続される危険な状況を確実に回避することができる。
【図面の簡単な説明】
【００１４】
【図１】本発明の第１実施形態の接地短絡器具１の構成を示す側面図である。
【図２】図１の接地短絡器具１の接地作業前の状態を示す側面図である。
【図３】図１の接地短絡器具１の開閉インターロック機構にインターロックキー５０が取付けられた状態の要部拡大側面図である。
【図４】図１の接地短絡器具１の開閉インターロック機構にインターロックキー５０が取付けられた状態の要部拡大正面図である。
【図５】図１の接地短絡器具１の接地金具３０にインターロックキー５０が取付けられた状態の側面図である。
【図６】図１の接地短絡器具１の接地金具３０が接地箇所に接続された状態を示す側面図である。
【図７】本発明の第１実施形態の接地短絡器具１のインターロックキー５０の平面図である。
【図８】本発明の第１実施形態の接地短絡器具１によって架空電線１０２の接地短絡を行っている状態を示す模式図である。
【発明を実施するための形態】
【００１５】
図１は、本発明の第１実施形態の接地短絡器具１の構成を示す側面図、図２は、図１の接地短絡器具１の接地作業前の状態を示す側面図、図３は、図１の接地短絡器具１の開閉インターロック機構にインターロックキー５０が取付けられた状態の要部拡大側面図、図４は、図１の接地短絡器具１の開閉インターロック機構にインターロックキー５０が取付けられた状態の要部拡大正面図、図５は、図１の接地短絡器具１の接地金具３０にインターロックキー５０が取付けられた状態の側面図、図６は、図１の接地短絡器具１の接地金具３０が接地箇所に接続された状態を示す側面図である。図７は、本発明の第１実施形態の接地短絡器具１のインターロックキー５０の平面図である。図８は、本発明の第１実施形態の接地短絡器具１によって架空電線１０２の接地短絡を行っている状態を示す模式図である。なお図８において符号を一部省略している。
【００１６】
第１実施形態の接地短絡器具１は、伸縮式の長尺な絶縁棒１０と、絶縁棒１０の先端に設けられた開閉式のアースフック２０と、鉄塔等の接地箇所１０１に接続される接地金具３０と、アースフック２０と接地金具３０とを電気的に接続するリード線４０と、を備え、接地金具３０を鉄塔等の接地箇所１０１に接続した状態で絶縁棒１０を操作してアースフック２０を架空電線１０２の接地対象箇所に電気的に接続することで架空電線１０２の接地を行う。また接地短絡器具１は、絶縁棒１０とアースフック２０とが互いに対して絶縁棒１０の長軸周りに回転したときにアースフック２０を開閉させる、公知の開閉機構（図示省略）が内部に組み込まれている。
【００１７】
接地短絡器具１はさらに、接地金具３０に取付けられ、接地金具３０が接地箇所１０１に接続されるまで取外すことができないインターロックキー５０と、インターロックキー５０の着脱作業時の脱落及び紛失を防止する連結ロープ６０と、連結ロープ６０の一端をリード線４０の中間部に取付けるための固定具７０と、インターロックキー５０が取付けられるまでアースフック２０の開閉を阻止するように構成された開閉インターロック機構と、を備えている。
【００１８】
また接地短絡器具１の接地金具３０は、接地インターロック機構を備えている。接地インターロック機構は、インターロックキー５０が装着された状態においてのみ接地金具３０を接地箇所１０１に着脱可能にするとともに、接地金具３０が接地箇所１０１に取付けられた状態においてのみインターロックキー５０の取外しを可能にする。接地インターロック機構の詳細については、後述する。
【００１９】
さらに接地短絡器具１は、接地金具３０及び／又は連結ロープ６０を仮固定するバンド８０と、接地金具３０を接地箇所１０１に接続した後にリード線４０の一部を接地箇所１０１、又は接地箇所１０１の周囲の構造物、例えば、鉄塔のフレーム１０３等に固定するリード線固定ロープ８５と、を備える。
【００２０】
絶縁棒１０は、絶縁性を有する伸縮式の長尺な棒体であり、先端にアースフック２０が設けられ、基端に作業者が握るグリップ部１１を有している。絶縁棒１０は、通常、約１．５〜４ｍの範囲で伸縮するが、これに限定されるものではない。また絶縁棒１０は、必ずしも伸縮式でなくてもよい。
【００２１】
アースフック２０は、絶縁棒１０の先端に設けられ、架空電線１０２の接地対象箇所に掛止することで架空電線１０２の接地対象箇所と電気的に接続されるように構成されている。アースフック２０には、リード線４０の一端が電気的に接続されている。
【００２２】
開閉インターロック機構は、インターロックキー５０が該開閉インターロック機構に装着されている状態においてのみアースフック２０の開閉を許容し、インターロックキー５０が装着されていない状態におけるアースフック２０の開閉を阻止する。開閉インターロック機構は、ベース部材９０と、絶縁棒１０及びアースフック２０のそれぞれに対して回転自在であり、絶縁棒１０及びアースフック２０を互いに連結する回転継手９１と、インターロックキー５０の位置決めを行うガイド９２と、インターロックキー５０の脱落を防止する脱落防止ピン９３とを備える。
【００２３】
ベース部材９０は、矩形ブロック部材であり、絶縁棒１０の先端部に固定されている。ベース部材９０の形状は、特定の形状に限定されるものではないが、インターロックキー５０をスライドさせて装着可能に、少なくともインターロックキー５０を装着する部分が平坦面である形状が好ましい。またベース部材９０は、絶縁棒１０に一体的に形成されていてもよい。
【００２４】
回転継手９１は、開閉機構の一部に組み込まれるかたちで絶縁棒１０とアースフック２０とを連結し、ベース部材９０に取付けられている。回転継手９１は、インターロックキー５０が開閉インターロック機構に装着されていない状態で絶縁棒１０を長軸周りに回転させたときに、絶縁棒１０とアースフック２０と（開閉機構）が空回りするように、絶縁棒１０及びアースフック２０のそれぞれに対して回転自在に設けられている。これによって、インターロックキー５０が開閉インターロック機構に装着されていない状態で絶縁棒１０を長軸周りに回転させてもアースフック２０が開閉しない。
【００２５】
回転継手９１は、外周面の一部から突出した回り止めピン９４を備える。回転継手９１は、回り止めピン９４が拘束されるとアースフック２０に対する自身の回転が阻止され、これによって絶縁棒１０を長軸周りに回転させたときに絶縁棒１０とアースフック２０と（開閉機構）が空回りせず、絶縁棒１０とアースフック２０とが互いに対して回転し、アースフック２０が開閉することを可能にする。なお回転継手９１は、回り止めピン９４が拘束されると絶縁棒１０に対する自身の回転が阻止されるように構成されていてもよい。
【００２６】
回り止めピン９４は、インターロックキー５０を開閉インターロック機構（ベース部材９０）に装着したときに、後述するインターロックキー５０の切欠５１にぴったり嵌り込んで拘束されるように切欠５１の幅と略同一の幅を有するように形成されているが、少なくとも絶縁棒１０を長軸周りに回転させたときに回り止めピン９４がインターロックキー５０の一部に当接し、回転継手９１のアースフック２０に対する回転が阻止されるように形成されていればよい。
【００２７】
ガイド９２は、開閉インターロック機構（ベース部材９０）へのインターロックキー５０の装着時にインターロックキー５０の幅方向（図３における左右方向）の動きを規制するようにベース部材９０の平坦な側面に設けられ、インターロックキー５０の位置決めを行う。またガイド９２は、図３、図４に示すように、幅方向中央において脱落防止ピン９３を回動自在に保持する。
【００２８】
脱落防止ピン９３は、インターロックキー５０が開閉インターロック機構に装着されたときにインターロックキー５０の脱落を防止するように、先端に設けられた突起９５がインターロックキー５０の掛止孔５２に掛止するように構成されている。脱落防止ピン９３は、基端がガイド９２に回動自在に保持され、基端を中心に図４の矢印で示すように回動する。また脱落防止ピン９３は、先端に設けられた突起９５がベース部材９０の方向に押し込まれるように、ねじりバネ（図示省略）等によって付勢されている。
【００２９】
脱落防止ピン９３の突起９５は、インターロックキー５０をスライドさせて開閉インターロック機構（ベース部材９０）に装着するときにインターロックキー５０を誘い込むために、図４に示すように先端９７が傾斜していることが好ましい。さらに脱落防止ピン９３は、インターロックキー５０を開閉インターロック機構から取外すときに脱落防止ピン９３を回動させる操作を行うために作業者が把持するツマミ９６を有していることが好ましい。
【００３０】
なおガイド９２及び脱落防止ピン９３は、上記及び図（特に図３、図４）に示した構成、形状、配置に限定されるものではなく、少なくとも開閉インターロック機構（ベース部材９０）に装着されたインターロックキー５０による回り止めピン９４の拘束、及びインターロックキー５０の脱落防止を実施可能に設けられていればよい。
【００３１】
接地金具３０は、図５、図６に示すように、Ｃ字形状の本体３１と、締付ボルト３２と、締付ボルト３２と螺合した角ナット３３と、締付ボルト３２及び角ナット３３が本体３１から外れないように支持する支持部材３４とを備え、リード線４０が接続され、これを介してアースフック２０と電気的に接続されたＣクランプ金具であり、接地短絡作業時には、締付ボルト３２によって鉄塔等の接地箇所１０１に締付けて固定される。
【００３２】
また接地金具３０は、インターロックキー５０が装着された状態においてのみ接地金具３０を接地箇所１０１に着脱可能にするとともに、接地金具３０が接地箇所１０１に取付けられた状態においてのみインターロックキー５０の取外しを可能にする接地インターロック機構を備えている。以下において、接地インターロック機構について具体的に説明する。
【００３３】
締付ボルト３２は、締付ボルト３２に対して長軸周りに回転自在な角ナット３３と螺合された状態で、本体３１及び支持部材３４に通され、角ナット３３が本体３１と支持部材３４との間に挟まれることによって本体３１から外れないように取付けられている。締付ボルト３２を締める、又は緩めるには、後述するインターロックキー５０の切欠５１によって角ナット３３を本体３１（締付ボルト３２）に対して固定する必要がある。これにより、インターロックキー５０が装着された状態においてのみ接地金具３０を接地箇所１０１に着脱可能になる。
【００３４】
また接地金具３０（接地インターロック機構）は、図５、図６に示すように、２つのピン部材である第１ピン部材９１及び第２ピン部材９２と、第１ピン部材９１と第２ピン部材９２とを連結する平板部材９３と、平板部材９３を付勢する圧縮バネ９４とを備えている。
【００３５】
第１ピン部材９１は、インターロックキー５０を接地金具３０に取付けたときに、後述するインターロックキー５０の掛止孔５２に嵌り、インターロックキー５０の取外しを阻止する。第２ピン部材９２は、接地金具３０が接地箇所１０１に接続されたときに押込まれるように、締付ボルト３２と同軸上に配置される。
【００３６】
平板部材９３は、第１ピン部材９１の下端と第２ピン部材９２の中間部とに固定され、第１ピン部材９１と第２ピン部材９２とを連結するとともに、図５、図６における下面が圧縮バネ９４の受圧面となる。圧縮バネ９４は、第１ピン部材９１がインターロックキー５０の掛止孔５２から抜けないように、第１ピン部材９１、第２ピン部材９２及び平板部材９３の全体を締付ボルト３２側に付勢すべく、平板部材９３の下側において第２ピン部材９２に取付けられている。
【００３７】
また締付ボルト３２の先端部には、円板状の締付部材３７が長軸周りに回転自在に取付けられており、締付部材３７によって第２ピン部材９２が押込まれないように、締付部材３７には、第２ピン部材９２が嵌り込む凹部３８が設けられている。
【００３８】
このように構成される接地金具３０（接地インターロック機構）によれば、接地金具３０を鉄塔等の接地箇所１０１に接続するまで、圧縮バネ９４の作用によって第１ピン部材９１が突出してインターロックキー５０の掛止孔５２に嵌り、インターロックキー５０の取外しが阻止される。接地金具３０を接地箇所１０１に接続すると、締付ボルト３２の締付力によって接地箇所１０１の部材を介して第２ピン部材９２が押込まれ、これに連動して第１ピン部材９１がインターロックキー５０の掛止孔５２から外れ、インターロックキー５０の取外しが可能になる。
【００３９】
なお接地インターロック機構は、上記の構成に限定されるものではなく、インターロックキー５０が装着された状態においてのみ接地金具３０を接地箇所１０１に着脱可能にするとともに、接地金具３０を接地箇所１０１に接続するまで、つまり、接地箇所１０１に対して接地金具３０が動かないように締付ボルト３２によって接地金具３０を締付けるまでインターロックキー５０を取外せないように構成されていればよい。例えば、第１ピン部材９１、第２ピン部材９２、及び平板部材９３は、一体的に形成されていてもよい。
【００４０】
リード線４０（アース線等とも呼ばれる）は、アースフック２０と接地金具３０とを連結し電気的に接続する。これによって架空電線１０２の接地時には、架空電線１０２を流れる電流が、アースフック２０、リード線４０、接地金具３０、接地金具３０が接続された鉄塔等の接地箇所１０１を通って地絡する。またリード線４０には、適宜、接地していることを表示する接地旗（図示省略）等が取付けられる。
【００４１】
インターロックキー５０は、切欠５１、掛止孔５２及び取付孔５３が形成された平板部材である。インターロックキー５０は、接地金具３０（接地インターロック機構）に装着される場合、切欠５１に角ナット３３が嵌るとともに、掛止孔５２に接地金具３０の接地インターロック機構の第１ピン部材９１が嵌るように、切欠５１が設けられた先端部を接地金具３０の本体３１と支持部材３４との間に挿入して取付けられる。
【００４２】
またインターロックキー５０は、開閉インターロック機構に装着されるときには、切欠５１に回り止めピン９４が嵌るとともに、掛止孔５２に脱落防止ピン９３の先端９７が嵌るように、ガイド９２に沿ってスライドさせて取付けられる。
【００４３】
切欠５１は、インターロックキー５０を接地金具３０に取付けたときに、角ナット３３を固定する（回転を阻止する）ように角ナット３３の外形に合致する形状で設けられている。なお切欠５１及び角ナット３３は、平面視において矩形である必要はなく、それぞれ、切欠５１によって角ナット３３を固定可能な形状であればよい。なお回り止めピン９４は、切欠５１の形状に応じて形状を決めればよい。
【００４４】
掛止孔５２は、インターロックキー５０を接地金具３０に取付けたときに、第１ピン部材９１が、がたつくことなく嵌る位置、大きさに穿設されている。なお脱落防止ピン９３は、掛止孔５２の位置、大きさに応じて形状を決めればよい。取付孔５３は、後述する連結ロープ６０の一端に設けられた第１取付具６１を取付可能に穿設されている。
【００４５】
連結ロープ６０は、インターロックキー５０に着脱自在に取付可能な第１取付具６１を一端に備え、他端にリード線４０に取付けられた後述する固定具７０に着脱自在に取付可能な第２取付具６２を備え、第１取付具６１及び第２取付具６２を介してインターロックキー５０を固定具７０（リード線４０の中間部）に連結する。
【００４６】
第１取付具６１及び第２取付具６２は、特定の構造のものに限定されるものではない。また連結ロープ６０を交換する必要性が低い場合には、第１取付具６１及び第２取付具６２が、インターロックキー５０及び固定具７０に対して着脱不能であってもよく、第１取付具６１及び第２取付具６２を用いることなく、直接、連結ロープ６０の両端をインターロックキー５０及び固定具７０に取付けてもよい。また第１取付具６１及び第２取付具６２は、連結ロープ６０の両端にある必要はなく、連結ロープ６０の中間部にあってもよい。
【００４７】
また連結ロープ６０は、作業性を向上すべく、弾性によってある程度、伸縮自在なコイル状の伸縮部６３が中間部に設けられている。なお伸縮部６３は、必ずしも設けられていなくてもよい。
【００４８】
固定具７０は、ペンチ等でかしめることによって、リード線４０の中間部に後付可能な金具であり、連結ロープ６０の第２取付具６２を取付可能に取付孔を有し、本実施形態の接地短絡器具１では、リード線４０のアースフック２０の近傍に取付けられている。なお固定具７０は、特定の構造に限定されるものではない。
【００４９】
バンド８０は、絶縁棒１０及び／又はアースフック２０に巻付けられた状態で固定可能に面ファスナー８１を備え、連結ロープ６０に取付けられている。バンド８０は、接地金具３０及び／又は連結ロープ６０を絶縁棒１０及び／又はアースフック２０に巻付けて固定することで、接地短絡器具１の携帯時や誤って接地金具３０を接地箇所１０１に接続する前に絶縁棒１０を伸長させたときに、接地金具３０が揺動することを防止する。
【００５０】
またバンド８０は、インターロックキー５０を接地金具３０から取外し、開閉インターロック機構（ベース部材９０）に装着したときに作業の邪魔にならないように連結ロープ６０を固縛するために使用される。
【００５１】
なおバンド８０の連結ロープ６０における取付位置は、特定の位置に限定されるものではないが、作業性を考慮するとインターロックキー５０に近い位置であることが好ましい。
【００５２】
リード線固定ロープ８５は、接地金具３０を接地箇所１０１に接続した後にリード線４０の一部を接地箇所１０１の周囲の構造物、例えば、鉄塔のフレーム１０３等に固縛可能なロープであり、リード線４０に取付けられている。リード線固定ロープ８５のリード線４０における取付位置は、特定の位置に限定されるものではないが、作業性を考慮すると接地金具３０に近い位置であることが好ましい。
【００５３】
リード線固定ロープ８５は、特定の材質のものに限定されるものではない。またリード線固定ロープ８５は、ロープに代えて、バンド８０のような面ファスナを有するバンドとしてもよい。
【００５４】
次に本実施形態の接地短絡器具１を使用する、架空電線１０２の接地短絡方法について説明する。接地短絡器具１を鉄塔等における接地短絡作業位置まで携帯するときには、バンド８０及びリード線固定ロープ８５を巻付けて接地金具３０を絶縁棒１０に固定し（図２参照）、例えば、絶縁棒１０に取付けられた肩バンド（図示省略）を肩に掛けて持ち運ぶ。
【００５５】
なおインターロックキー５０は、予め、接地金具３０に取付けられている。具体的には、インターロックキー５０の切欠５１が接地金具３０の角ナット３３に嵌り、インターロックキー５０の掛止孔５２に接地金具３０の第１ピン部材９１が嵌るように、インターロックキー５０が、接地金具３０に取付けられている。前述及び後述のように、接地短絡作業が完了し、接地金具３０を接地箇所１０１から取外すときには必ずインターロックキー５０が接地金具３０に取付けられるので、接地短絡作業前には意識せずとも、インターロックキー５０が、予め、接地金具３０に取付けられることになる。
【００５６】
接地短絡作業位置に到着すると、バンド８０及びリード線固定ロープ８５を解き、接地金具３０を鉄塔等の接地箇所１０１に接続する。架空電線１０２を接地する際には、まず、接地金具３０を接地箇所１０１に接続し、次いで、アースフック２０を架空電線１０２と電気的に接続する必要がある。接地金具３０を接地箇所１０１に接続するときには、接地箇所１０１を接地金具３０の締付ボルト３２及び第２ピン部材９２で挟み込む位置に挿入し、締付ボルト３２によって締付ける。
【００５７】
接地箇所１０１を締付ボルト３２で締付けると、第２ピン部材９２が接地箇所１０１によって押込まれ、これに連動して第１ピン部材９１がインターロックキー５０の掛止孔５２から外れ、インターロックキー５０が接地金具３０から取外し可能となる。
【００５８】
なお接地金具３０を接地箇所１０１に接続する前に、アースフック２０を架空電線１０２の接地対象箇所に掛止しようとして絶縁棒１０を伸長させると、接地金具３０が、バンド８０及び／又はリード線固定ロープ８５によって絶縁棒１０に固定された状態、あるいは絶縁棒１０（連結ロープ６０）からぶら下がった状態となる。作業者は、絶縁棒１０に接地金具３０がぶら下がった状態でアースフック２０を架空電線１０２の接地対象箇所に掛止させてしまうと、後から接地金具３０を接地箇所１０１に取付けることができないことを直ちに理解することができるので、作業順番を間違えていることに直ちに気付くことができる。さらにこのときインターロックキー５０が開閉インターロック機構に装着されていないのでアースフック２０を開閉することができず、結果としてアースフック２０を接地対象箇所に掛止することもできないようになっている。
【００５９】
接地箇所１０１の近傍において、リード線固定ロープ８５を使用してリード線４０を鉄塔等のフレーム１０３に固縛する（図８参照）。これによって、作業者や絶縁棒１０がリード線４０に引掛かることが抑制され、また作業者等がリード線４０に引掛かり、リード線４０に引張荷重が加わった場合でも接地金具３０が接地箇所１０１から外れることが防止される。なおこのとき固縛位置とアースフック２０との間のリード線４０の長さは、作業性を低下させないように不必要に長くないことが好ましい。
【００６０】
次にインターロックキー５０を接地金具３０から取外し、接地金具３０から取外したインターロックキー５０を開閉インターロック機構（ベース部材９０）に装着する。インターロックキー５０を開閉インターロック機構に装着するときには、回転継手９１の回り止めピン９４の位置をインターロックキー５０の切欠５１に嵌るように合わせ、インターロックキー５０をガイド９２の間に嵌め込み、回り止めピン９４がインターロックキー５０の切欠５１に嵌るとともに、脱落防止ピン９３がインターロックキー５０の掛止孔５２に嵌って掛止するまでインターロックキー５０をガイド９２に沿ってスライドさせる（図３、図４参照）。
【００６１】
これによって、回転継手９１のアースフック２０に対する回転、つまり絶縁棒１０とアースフック２０と（開閉機構）の空回りが阻止され、アースフック２０の開閉操作が可能になる。その後、連結ロープ６０を作業の邪魔にならないようにバンド８０によってベース部材９０に固縛する（図８参照）。その後、絶縁棒１０を伸長し、アースフック２０（及び絶縁棒１０）を架空電線１０２の接地対象箇所に掛止させ、架空電線１０２を接地する（図８参照）。
【００６２】
架空電線１０２の接地を解除する際には、まず、アースフック２０（及び絶縁棒１０）を架空電線１０２から取外し、次いで、接地金具３０を接地箇所１０１から取外す必要がある。本実施形態の接地短絡器具１では、接地金具３０の取外し操作に必要なインターロックキー５０が、開閉インターロック機構に装着されているので、アースフック２０を架空電線１０２から取外す前に接地金具３０を接地箇所１０１から取外すことができず、これによって、作業順番の間違いが発生する余地がない。
【００６３】
アースフック２０を架空電線１０２から取外し、絶縁棒１０を収縮させ、インターロックキー５０を開閉インターロック機構から取外す。インターロックキー５０を開閉インターロック機構から取外すときには、脱落防止ピン９３のツマミ９６を引張りながらインターロックキー５０をガイド９２に沿って引抜く。
【００６４】
リード線固定ロープ８５によるリード線４０の固縛を解除し、開閉インターロック機構から取外したインターロックキー５０を接地金具３０に取付け、接地金具３０を接地箇所１０１から取外し、バンド８０及びリード線固定ロープ８５を巻付けて接地金具３０を絶縁棒１０に固定すると、接地短絡器具１が接地短絡作業前の状態に戻る。
【００６５】
以上のように、本実施形態の接地短絡器具１によれば、インターロックキー５０が接地金具３０に装着されているときに接地金具３０を接地箇所１０１に対して着脱可能にし、接地金具３０が接地箇所１０１に取付けられているときに接地金具３０からインターロックキー５０を取外し可能にする接地インターロック機構と、インターロックキー５０が装着されているときにアースフック２０を開閉可能にする開閉インターロック機構とを備えるので、接地短絡作業における間違った作業順番を確実に防止可能であり、接地金具３０が接地箇所１０１に取付けられていない状態でアースフック２０が架空電線１０２に接続される危険な状況を確実に回避することができる。
【００６６】
また本実施形態の接地短絡器具１によれば、接地インターロック機構及び開閉インターロック機構で使用するインターロックキー５０が共通であり、掛止孔５２も共通して使用することができるので、必要な部品点数及び加工箇所が少なく、作業性及び製造コストの点においても有利である。
【００６７】
以上、第１実施形態の接地短絡器具１を用いて、本発明の接地短絡器具を説明したが、本発明の接地短絡器具は、上記実施形態に限定されるものではなく要旨を変更しない範囲で変形することができる。例えば、第１実施形態の接地短絡器具１において、接地金具３０、リード線４０、連結ロープ６０の固縛等が不要な場合、接地短絡器具は、必ずしもバンド８０及びリード線固定ロープ８５を有しなくてもよい。
【００６８】
また第１実施形態の接地短絡器具１は、必ずしも連結ロープ６０を有しなくてもよい。連結ロープ６０を有しない場合には、固定具７０も不要である。また連結ロープ６０に設けられているバンド８０は、例えば、紐等でもよい。
【００６９】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００７０】
１  接地短絡器具
１０  絶縁棒
１１  グリップ部
２０  アースフック
３０  接地金具
４０  リード線
５０  インターロックキー
５２  掛止孔
９１  回転継手
９２  ガイド
９３  脱落防止ピン
９４  回り止めピン
１０１  接地箇所
１０２  架空電線
【図１】
2019129596.tif 000003
【図２】
2019129596.tif 000004
【図３】
2019129596.tif 000005
【図４】
2019129596.tif 000006
【図５】
2019129596.tif 000007
【図６】
2019129596.tif 000008
【図７】
2019129596.tif 000009
【図８】
2019129596.tif 000010